【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
データを記憶する第１の記憶装置および第２の記憶装置と、
前記第１の記憶装置の第１の記憶領域を提供し、前記第２の記憶装置の記憶領域を複数の記憶領域に論理的に分割して第２の記憶領域と第３の記憶領域とを提供し、前記各記憶装置へのデータの入出力を制御するコントローラと、
前記各記憶装置と前記コントローラとを接続するＳＡＳエクスパンダと、を備えるストレージシステムであって、
前記第１の記憶装置は、前記ＳＡＳエクスパンダと接続するための複数の物理ポートを備え、
前記ＳＡＳエクスパンダとの間のデータ転送に用いるために、前記第１の記憶装置の複数の物理ポートのうちの第１の物理ポートと第２の物理ポートとを一つのリンクとする第１のリンクと、前記第２の記憶装置の複数の物理ポートのうちの第３の物理ポートを一つのリンクとする第２のリンクと、前記第２の記憶装置の複数の物理ポートのうちの第４の物理ポートを一つのリンクとする第３のリンクと、が形成され、
前記第１のリンクは前記第１の記憶領域と関連付けられ、前記第２のリンクは前記第２の記憶領域と関連付けられ、前記第３のリンクは前記第３の記憶領域と関連付けられ、
前記ＳＡＳエクスパンダは、
前記第１のリンクと対応する前記第１の物理ポートおよび前記第２の物理ポートを用いて行われる、前記コントローラから前記第１の記憶装置の前記第１記憶領域へのアクセス要求に基づく、前記コントローラと前記第１の記憶装置との間のデータ転送と、
前記第２のリンクと対応する前記第３の物理ポートを用いて行われる、前記コントローラから前記第２の記憶装置の前記第２記憶領域へのアクセス要求に基づく、前記コントローラと前記第１の記憶装置との間のデータ転送と、
前記第３のリンクと対応する前記第４の物理ポートを用いて行われる、前記コントローラから前記第２の記憶装置の前記第３記憶領域へのアクセス要求に基づく、前記コントローラと前記第２の記憶装置との間のデータ転送と、を中継するように制御されることを特徴とするストレージシステム。
【請求項２】
請求項１に記載のストレージシステムであって、
前記記憶装置の前記複数の複数のポートには、複数の現用系ポートと、当該複数の現用形ポートに障害が発生した場合に使用される複数の待機系ポートが含まれ、前記第１の物理ポートおよび前記第２の物理ポートは前記複数の現用系ポートに含まれることを特徴とするストレージシステム。
【請求項３】
請求項１又は２に記載のストレージシステムであって、
前記記憶装置は、半導体記憶装置であることを特徴とするストレージシステム。
【請求項４】
ストレージシステムの制御方法であって、
前記ストレージシステムは、データを記憶する第１の記憶装置および第２の記憶装置と、前記第１の記憶装置の第１の記憶領域を提供し、前記第２の記憶装置の記憶領域を複数の記憶領域に論理的に分割して第２の記憶領域と第３の記憶領域とを提供し、前記各記憶装置へのデータの入出力を制御するコントローラと、前記各記憶装置と前記コントローラとを接続するＳＡＳエクスパンダと、を備え、
前記第１の記憶装置は、前記ＳＡＳエクスパンダと接続するための複数の物理ポートを備え、
前記方法は、
前記コントローラは、前記ＳＡＳエクスパンダとの間のデータ転送に用いるために、前記第１の記憶装置の複数の物理ポートのうちの第１の物理ポートと第２の物理ポートとを一つのリンクとする第１のリンクと、前記第２の記憶装置の複数の物理ポートのうちの第３の物理ポートを一つのリンクとする第２のリンクと、前記第２の記憶装置の複数の物理ポートのうちの第４の物理ポートを一つのリンクとする第３のリンクとを形成し、
前記第１のリンクは前記第１の記憶領域と関連付けられ、前記第２のリンクは前記第２の記憶領域と関連付けられ、前記第３のリンクは前記第３の記憶領域と関連付けられ、
前記ＳＡＳエクスパンダは、
前記第１のリンクと対応する前記第１の物理ポートおよび前記第２の物理ポートを用いて行われる、前記コントローラから前記第１の記憶装置の前記第１記憶領域へのアクセス要求に基づく、前記コントローラと前記第１の記憶装置との間のデータ転送と、
前記第２のリンクと対応する前記第３の物理ポートを用いて行われる、前記コントローラから前記第２の記憶装置の前記第２記憶領域へのアクセス要求に基づく、前記コントローラと前記第１の記憶装置との間のデータ転送と、
前記第３のリンクと対応する前記第４の物理ポートを用いて行われる、前記コントローラから前記第２の記憶装置の前記第３記憶領域へのアクセス要求に基づく、前記コントローラと前記第２の記憶装置との間のデータ転送と、を中継するように制御することを特徴とするストレージシステムの制御方法。
【請求項５】
請求項４に記載のストレージシステムの制御方法であって、
前記記憶装置の前記複数の複数のポートには、複数の現用系ポートと、当該複数の現用形ポートに障害が発生した場合に使用される複数の待機系ポートが含まれ、前記第１の物理ポートおよび前記第２の物理ポートは前記複数の現用系ポートに含まれることを特徴とするストレージシステムの制御方法。
【請求項６】
請求項４又は５に記載のストレージシステムの制御方法であって、
前記記憶装置は、半導体記憶装置であることを特徴とするストレージシステムの制御方法。
【手続補正２】
【補正対象書類名】明細書
【補正対象項目名】００１５
【補正方法】変更
【補正の内容】
【００１５】
本発明の代表的な一例を示せば以下の通りである。すなわち、データを記憶する第１の記憶装置および第２の記憶装置と、前記第１の記憶装置の第１の記憶領域を提供し、前記第２の記憶装置の記憶領域を複数の記憶領域に論理的に分割して第２の記憶領域と第３の記憶領域とを提供し、前記各記憶装置へのデータの入出力を制御するコントローラと、
前記各記憶装置と前記コントローラとを接続するＳＡＳエクスパンダと、を備えるストレージシステムであって、前記第１の記憶装置は、前記ＳＡＳエクスパンダと接続するための複数の物理ポートを備え、前記ＳＡＳエクスパンダとの間のデータ転送に用いるために、前記第１の記憶装置の複数の物理ポートのうちの第１の物理ポートと第２の物理ポートとを一つのリンクとする第１のリンクと、前記第２の記憶装置の複数の物理ポートのうちの第３の物理ポートを一つのリンクとする第２のリンクと、前記第２の記憶装置の複数の物理ポートのうちの第４の物理ポートを一つのリンクとする第３のリンクと、が形成され、前記第１のリンクは前記第１の記憶領域と関連付けられ、前記第２のリンクは前記第２の記憶領域と関連付けられ、前記第３のリンクは前記第３の記憶領域と関連付けられ、前記ＳＡＳエクスパンダは、前記第１のリンクと対応する前記第１の物理ポートおよび前記第２の物理ポートを用いて行われる、前記コントローラから前記第１の記憶装置の前記第１記憶領域へのアクセス要求に基づく、前記コントローラと前記第１の記憶装置との間のデータ転送と、前記第２のリンクと対応する前記第３の物理ポートを用いて行われる、前記コントローラから前記第２の記憶装置の前記第２記憶領域へのアクセス要求に基づく、前記コントローラと前記第１の記憶装置との間のデータ転送と、前記第３のリンクと対応する前記第４の物理ポートを用いて行われる、前記コントローラから前記第２の記憶装置の前記第３記憶領域へのアクセス要求に基づく、前記コントローラと前記第２の記憶装置との間のデータ転送と、を中継するように制御されることを特徴とする。